(57)【要約】【課題】樋継手内に堆積するゴミ等の除去を容易にするとともに、集水体から竪樋への排水をスムーズにする樋継手を提供する。【解決手段】集水体３０の集水口３０ａに連結される流入口１０ａと、竪樋２０の一端に連結される流出口１０ｂとを有したエルボ状本体１０ｃに開口底１０ｄを形成した樋継手１０であって、流入口１０ａからの排水を流出口１０ｂに誘導する傾斜誘導面１４ａを有した排水誘導体１４を設けた蓋体１２を、開口底１０ｄに弾性嵌合させて着脱可能にしている。【選択図】図１
2007218021.tif 000002
【特許請求の範囲】
【請求項１】
集水体の集水口に連結される流入口と、竪樋の一端に連結される流出口とを有したエルボ状本体に開口底を形成した樋継手であって、
前記流入口からの排水を前記流出口に誘導する傾斜誘導面を有した排水誘導体を設けた蓋体を、前記開口底に弾性嵌合させて着脱可能にしたことを特徴とする樋継手。
【請求項２】
請求項１において、
開口底の外周面と蓋体のそれぞれには、対応した弾性嵌合部を設けていることを特徴とする樋継手。
【請求項３】
請求項１または２において、
開口底の外周面、蓋体には、位置あわせガイド手段を対応して設けていることを特徴とする樋継手。
【請求項４】
請求項１乃至３のいずれか１項において、
排水誘導体は、傾斜誘導面に棒状体を立設させていることを特徴とする樋継手。
【発明の詳細な説明】
【技術分野】
【０００１】
本発明は、集水体と竪樋とを連結するエルボ状に形成された樋継手に関し、詳しくは、底部に設けた開口を閉塞する蓋体に排水誘導体を設けるとともに、蓋体の着脱を容易にする樋継手に関するものである。
【背景技術】
【０００２】
従来の樋継手として、雨樋の下流端に設置された集水体の集水口に、流入口と流出口を備えたエルボ状の樋継手本体の前記流入口を連結すると共に、前記流出口には、竪樋の上端部に内嵌する樋嵌合筒部を備え、この樋嵌合筒部を竪樋の上端部に内嵌させて、集水体と竪樋を連通させ、集水体に集水された雨水等が、樋継手を介して竪樋を通じて排水される構造のものが知られている。
【０００３】
前記のようなエルボ状の樋継手の場合、折曲がった部分に塵粉や、地域によっては、火山灰などが堆積し、特に雨が少ない時期に塵粉などが折曲がった部分にその他のゴミとともに堆積してしまうと、排水性能が阻害される問題があったが、竪樋及び樋継手、集水体は取り外しが容易ではなく、点検やゴミ除去時には、全体を取り外す必要があるため、時間と労力を要するという問題があった。
【０００４】
また、特開平１０−２３８０３５（特許文献１）では図６（Ａ）、（Ｂ）に示すように、上述の問題を解決するために、エルボ１（樋継手に相当する。）の下面に開口部２を設け、開口部２を着脱自在のキャップ３で閉塞する構造としており、キャップ３を取り外すことによりゴミ４等の除去を容易にするエルボが提案されている。
【０００５】
しかしながら、前記構成とすると、開口部２が流出口よりも下方に位置する構成となるため、集水体からの雨水が、開口部２に滞留し、特に大雨の場合には逆流するおそれがあった。
【特許文献１】特開平１０−２３８０３５号公報
【発明の開示】
【発明が解決しようとする課題】
【０００６】
本発明は、前記問題を解決するために提案されたもので、その目的は、樋継手内に堆積するゴミ等の除去を容易にするとともに、集水体から竪樋への排水をスムーズにする樋継手を提供することにある。
【課題を解決するための手段】
【０００７】
前記目的を達成するために、請求項１に記載の樋継手は、集水体の集水口に連結される流入口と、竪樋の一端に連結される流出口とを有したエルボ状本体に開口底を形成した樋継手であって、前記流入口からの排水を前記流出口に誘導する傾斜誘導面を有した排水誘導体を設けた蓋体を、前記開口底に弾性嵌合させて着脱可能にしたことを特徴とする。
【０００８】
請求項２では、開口底の外周面と蓋体のそれぞれには、対応した弾性嵌合部を設けていることを特徴とする。
【０００９】
請求項３では、開口底の外周面、蓋体には、位置あわせガイド手段を対応して設けていることを特徴とする。
【００１０】
請求項４では、排水誘導体は、傾斜誘導面に棒状体を立設させていることを特徴とする。
【発明の効果】
【００１１】
請求項１乃至４に記載の樋継手によれば、エルボ状本体に形成された開口底に蓋体を弾性嵌合させて着脱可能としているため、樋継手内に堆積したゴミ等を容易に除去することが出来るとともに、施工時や点検時等に非常に便利なものとなる。
【００１２】
また、蓋体に傾斜誘導面を有した排水誘導体を設けていることにより、流入口から流出口への排水をスムーズに行うことが出来る。
【００１３】
請求項２では、エルボ状本体の開口底の外周面及び蓋体のそれぞれには、対応した弾性嵌合部を設けているため、開口底と蓋体の嵌合を確実に行うことができ、流入口からの雨水の水圧等により、意図せず外れることがないものとなる。
【００１４】
請求項３では、エルボ状本体の開口底の外周面及び蓋体には、位置あわせガイド手段を対応して設けていることにより、蓋体に形成された傾斜誘導面から流出口への排水経路の位置決めを確実、かつ容易に行うことが出来る。
【００１５】
請求項４では、エルボ状本体の開口底を閉塞する蓋体の排水誘導体は、傾斜誘導面に棒状体を立設させていることにより、集水体内にボール等の異物が侵入した場合でも、棒状体の上端が異物の侵入を阻止して、ボール等の異物が集水体の集水口を塞ぐことを阻止できる。
【００１６】
また、棒状体を立設した蓋体は開口底から着脱可能となっているため、ボール等の異物が集水体に侵入した後、異物を除去する場合には、例えば、蓋体を開口底から取り外し、棒状体の上端を、集水口の近傍まで引き下げたうえで、蓋体を上方に向けて叩けば、棒状体の上端が、異物を下方から叩き上げ、その衝撃によりボール等の異物を集水体の上方から排出できるので、異物の除去作業を容易にできる。
【００１７】
さらに、異物が集水口の内径よりも小さく、かつ棒状体と集水口との間に形成される隙間よりも大きい場合は、蓋体を開口底から離脱させることにより、容易に開口底から異物を除去することができる。
尚、異物が集水口の内径よりも小さく、かつ棒状体と集水口との間に形成される隙間よりも小さいゴミ等の場合は、上述の通り、蓋体を開口底から離脱させることにより、容易に異物を除去することができる。
【００１８】
上記のような構成により、樋継手のエルボ状本体の下方からの異物除去作業が可能となり、高所に設置された集水体の更に上方から手を差し入れる必要がなく、安全に異物の除去作業を行うことができる。
【００１９】
さらにまた、棒状体を立設させていることにより、流入口からの雨水の整流化を行うことが出来、豪雨などの雨量が多い場合にもスムーズに流出口への排水を行うことができるものとなる。
【発明を実施するための最良の形態】
【００２０】
以下に、本発明の実施の形態について、図面を参照しながら説明する。
【実施例１】
【００２１】
図１乃至図３は、本実施例に係る樋継手を示し、図１は樋継手を示す分解斜視図、図２（ａ）は樋継手の正面図、図２（ｂ）は図２（ａ）の樋継手のＸ−Ｘ線断面図、図３は樋継手の使用状態を示す図である。
【００２２】
本実施例の樋継手１０は、集水体３０の集水口３０ａに連結される流入口１０ａと、竪樋２０の一端に連結される流出口１０ｂとを有したエルボ状本体１０ｃに開口底１０ｄを形成した樋継手であって、前記流入口１０ａからの排水を前記流出口１０ｂに誘導する傾斜誘導面１４ａを有した排水誘導体１４を設けた蓋体１２を、前記開口底１０ｄに弾性嵌合させて着脱可能にしている。
【００２３】
エルボ状本体１０ｃは、流入口１０ａを構成する管体を鉛直方向に立設し、流出口１０ｂを構成する管体を水平よりも僅か下方に傾斜した方向に延設し、流入口１０ａの直下に開口底１０ｄを開設している。
開口底１０ｄを構成する管体の下端部の外周面には膨出部１０ｅを周設するとともに、開口底１０ｄを構成する管体の下端縁部の正面側にはガイド突起１０ｆを形成している。
【００２４】
開口底１０ｄを閉塞する蓋体１２は、開口底１０ｄを構成する管体の外径と略同口径の内径を有する上方にのみ開口する有底筒状体であって、開口底１０ｄと当接する底面にシール部材１５を敷設している。
蓋体１２の内周壁には、開口底１０ｄを構成する管体の膨出部１０ｅに対応する凹部１２ａを刻設するとともに、その正面側には、内周壁の上端から底面まで開口底１０ｄを構成する管体のガイド突起１０ｆに対応するガイド溝１２ｂを欠切形成している。
また、蓋体１２には、傾斜誘導面１４ａを有する排水誘導体１４が固着されている。
【００２５】
排水誘導体１４は、蓋体１２の底面に固着しており、傾斜誘導面１４ａまでは略円柱状で、傾斜誘導面１４ａは、流出口１０ｂを構成する管体と略同傾斜角で傾斜するとともに、流出口１０ｂへの排水をスムーズにできるように、最下部が流出口１０ｂと同高さとなるように形成している。
蓋体１２と排水誘導体１４との間には、開口底１０ｄを構成する管体が嵌合する間隙が形成されている。
【００２６】
尚、図２（ｂ）の断面図では構造の理解を容易とするために、蓋体１２と開口底１０ｄを構成する管体と排水誘導体１４とのそれぞれの間には隙間があるが、隙間を形成しない方が好ましい。
また、本実施例では排水誘導体１４は、蓋体１２へ固着される別部材としているが、蓋体１２と一体成形されても良く、さらに、中空が形成されているが、中空がなくとも良い。
さらに、傾斜誘導面１４ａは、平坦面ではなく、流出口１０ｂの形状に合わせて、中央部を凹ませて湾曲面としてもよい。
【００２７】
集水体３０は、上方が開放された箱状に形成されており、雨樋４０が連通されている。また中央には、貫通された集水口３０ａが形成されている。
本実施例では、箱状の集水体３０を図示しているが、集水器具の総称を意味し、受け升、ドレン、チーズ等でもよく、また、形状も箱状のものに限定されるものではない。
【００２８】
次に、本実施例に係る樋継手の使用例を図３に基づき説明する。
【００２９】
樋継手１０の流入口１０ａと集水体３０の集水口３０ａを連結し、樋継手１０の流出口１０ｂを竪樋２０の上端部に連結させて固定している。
【００３０】
樋継手１０の開口底１０ｄは、蓋体１２により閉塞される。詳しくは、開口底１０ｄを構成する管体に形成されたガイド突起１０ｆと蓋体１２の内周壁に形成されたガイド溝１２ｂとの位置を合わせ、蓋体１２を上方に押し上げて、開口底１０ｄを構成する管体に形成された膨出部１０ｅと蓋体１２の内周壁に形成された凹部１２ａを嵌合させることにより閉塞している。
これにより、開口底１０ｄの下端が、蓋体１２の底面に敷設されているシール部材１５に当接し、外部への漏水を防止するとともに、ガイド突起１０ｆとガイド溝１２ｄを設けることにより、排水誘導体１４が有する傾斜誘導面１４ａの傾斜する最下部を確実、かつ容易に流出口１０ｂに対応する位置に合わせることができる。
【００３１】
前記のように各部材に連結された樋継手１０は、図２（ｂ）に示すように、集水体３０に集水した雨水等が流入口１０ａから流入した後は、開口底１０ｄに滞留することなく、排水誘導体１４が有する傾斜誘導面１４ａに誘導されて、スムーズに流出口１０ｂへ排水される構造となる。
【００３２】
また、蓋体１２は開口底１０ｄへ弾性嵌合されていることにより、着脱がワンタッチでできる容易なものとなり、施工時や点検時、傾斜誘導面１４ａに堆積したゴミ等の除去時において、非常に便利なものとなる。
【００３３】
尚、本実施例における樋継手１０は一例に過ぎずこれに限られるものではない。
本実施例では、樋継手１０は円筒状であるが、角筒状の樋継手にも適用でき、その場合は、排水誘導体は略四角柱状となり、流出口の傾斜と高さに合わせて、傾斜誘導面を形成することとなる。
【００３４】
また、本実施例では蓋体１２と開口底１０ｄの嵌合手段として、蓋体１２と開口底１０ｄにそれぞれ、膨出部１０ｅと凹部１２ａを形成しているが、それらを設けず、あるいはそれらを設けるとともに、例えば、蓋体１２の内周壁と排水誘導体１４の外周壁にゴム、軟質合成樹脂などの弾性材を敷設し、蓋体１２を開口底１０ｄに嵌合させる構成としてもよい。これにより、排水誘導体１４とエルボ状本体１０ｃとの間に隙間ができず、外部への漏水や、隙間へのゴミ等の付着をより確実に防止することができる。
【００３５】
さらに、本実施例では、傾斜誘導面１４ａと流出口１０ｂの位置あわせガイド手段として、蓋体１２と開口底１０ｄの外周面にそれぞれ、ガイド溝１２ｂとガイド突起１０ｆを一箇所づつ設けているが、二箇所以上でもよく、また、それらを設けなくてもよい。あるいはそれらの代わりに、例えば、蓋体１２と開口底１０ｄの外周面のそれぞれ該当箇所に、ペイントやバリ、ガイド線などを形成し、位置あわせガイド手段としてもよい。
【００３６】
さらにまた、蓋体１２を軟質性樹脂材により形成してもよい。これにより、内周壁に凹部１２ａを設けずとも、開口底１０ｄに嵌合させることができる。
【実施例２】
【００３７】
図４は、本実施例に係る樋継手を示し、（ａ）は樋継手の正面図、（ｂ）は（ａ）の樋継手のＹ−Ｙ線断面図である。
【００３８】
実施例１との相違点は、開口底１１ｄと蓋体１３の嵌合手段として、開口底１１ｄを構成する管体の外周面に突起部１１ｅを設け、蓋体１３にはそれに対応する孔部１３ａを設けている点である。
これにより、蓋体１３を開口底１１ｄに確実に嵌合させることができるとともに、実施例１で設けている位置あわせガイド手段を設けずとも、排水誘導体１４が有する傾斜誘導面１４ａと流出口１０ｂの位置あわせを確実、かつ容易にすることができる。
【００３９】
本実施例では、開口底１１ｄを構成する管体の突起部１１ｅ及び蓋体１３の孔部１３ａはそれぞれ、正面側に２箇所、背面側に１箇所設けており、３箇所設ける構成としているが、２箇所あるいは４箇所以上でもよい。
また、蓋体１３の孔部１３ａを蓋体１３の上縁から突設させて設けているが、蓋体１３の上縁よりも下部、すなわち内周壁に設ける構成としてもよい。
【００４０】
尚、他の構成は実施例１と同様であるため説明を省略する。
【実施例３】
【００４１】
図５は、本実施例に係る樋継手が集水体に連結され、異物が侵入した状態を示す概略断面図である。
本実施例の樋継手１６では、排水誘導体１９の有する傾斜誘導面１９ａの略中心に棒状体１７を立設させている。
【００４２】
棒状体１７は、図５に示すように、集水体３０の集水口３０ａを越えて集水体３０の内方にまで、鉛直方向に立設している。
また、棒状体１７は、傾斜誘導面１９ａから突設させた嵌合部１９ｂに着脱可能に嵌合する構成としているが、前記突設させた嵌合部１９ｂにネジ溝を形成するとともに、棒状体１７の下部にネジ山を形成して螺合する構成としてもよい。
【００４３】
前記のように棒状体１７を設けることにより、集水体３０からの雨水等の流水を整流化させ、スムーズに流出口１０ｂへ排水することができる。
また、図５に示すように異物Ｂが、集水体３０に侵入した場合に、集水口３０ａを塞ぐことを阻止するとともに、蓋体１８を開口底から取り外し、上述のように、異物Ｂを集水体３０の上方から排出できるので、異物の除去作業を容易にできる。
【００４４】
尚、本実施例の樋継手１６の開口底と蓋体１８の嵌合手段は実施例１あるいは実施例２と同様の嵌合手段を用いることができる。
また、他の構成は実施例１及び実施例２と同様であるため説明を省略する。
【図面の簡単な説明】
【００４５】
【図１】本発明に係る実施例１の樋継手を示す分解斜視図である。
【図２】実施例１の樋継手を示し、（ａ）は正面図、（ｂ）はＸ−Ｘ線断面図である。
【図３】実施例１における樋継手の使用状態図である。
【図４】本発明に係る実施例２の樋継手を示し、（ａ）は正面図、（ｂ）はＹ−Ｙ線断面図である。
【図５】本発明に係る実施例３の樋継手が集水体に連結され、異物が侵入した状態を示す概略断面図である。
【図６】従来例を示す図である。
【符号の説明】
【００４６】
１０      樋継手（実施例１）
１０ａ      流入口
１０ｂ      流出口
１０ｃ      エルボ状本体
１０ｄ      開口底（実施例１）
１０ｅ      膨出部
１０ｆ      ガイド突起
１１      樋継手（実施例２）
１１ｄ      開口底（実施例２）
１１ｅ      突起部
１２      蓋体（実施例１）
１２ａ      凹部
１２ｂ      ガイド溝
１３      蓋体（実施例２）
１３ａ      孔部
１４      排水誘導体（実施例１及び２）
１４ａ      傾斜誘導面（実施例１及び２）
１５      シール部材
１６      樋継手（実施例３）
１７      棒状体
１８      蓋体（実施例３）
１９      排水誘導体（実施例３）
１９ａ      傾斜誘導面（実施例３）
１９ｂ      棒状体嵌合部
２０      竪樋
３０      集水体
３０ａ      集水口
４０      雨樋
Ｂ      異物
【図１】
2007218021.tif 000003
【図２】
2007218021.tif 000004
【図３】
2007218021.tif 000005
【図４】
2007218021.tif 000006
【図５】
2007218021.tif 000007
【図６】
2007218021.tif 000008